(57)【特許請求の範囲】
【請求項１】
壁状又は版状となったコンクリートの第１の構造部分と、壁状又は版状となったコンクリートの第２の構造部分とが、角度をもって連続する部分を補強するコンクリート構造物の補強方法であって、
１８０度より小さい角度で前記第１の構造部分の表面と前記第２の構造部分の表面とが隣接する内側表面の境界線に沿って所定間隔の複数の位置に、前記第１の構造部分の表面に連続して前記第２の構造部分を貫通する第１の孔群を形成する工程と、
前記第２の構造部分の表面に連続して前記第１の構造部分を貫通する第２の孔群を、前記境界線に沿って所定の間隔で複数の位置に形成する工程と、
連続する繊維を束ねて帯状とした補強ベルトを、前記第１の構造部分の内側の表面に沿って前記第１の孔群に含まれる孔に挿通し、前記第２の構造部分の外側から前記第１の構造部分の外側に向けての隅角部に巻き回し、前記第１の構造部分の外側から前記第２の孔群に含まれる孔に挿通する工程と、
前記補強ベルトの両端部を、前記第１の構造部分の内側の表面及び前記第２の構造部分の内側の表面に貼り付ける工程と、を含むことを特徴とするコンクリート構造物の補強方法。
【請求項２】
前記補強ベルトを前記第１の孔群に含まれる一の孔に挿通するときに、複数枚の補強ベルトを重ねて挿通し、
該複数枚の補強ベルトは、該一の孔を貫通して第２の構造部分の外側の面で、前記境界線の方向に二つに振り分け、該一の孔の両側で隣接する第２の孔群に含まれる２つの孔にそれぞれ挿通することを特徴とする請求項１に記載のコンクリート構造物の補強方法。
【請求項３】
前記補強ベルトを前記第１の構造部分の内側の表面及び第２の構造部分の内側の表面に貼り付けるときには、該補強ベルトに張力を導入した状態とすることを特徴とする請求項１又は請求項２に記載のコンクリート構造物の補強方法。
【請求項４】
前記補強ベルトを前記第１の構造部分の内側の表面及び第２の構造部分の表面に貼り付けた後、少なくとも２方向の繊維が配列された補強シートを前記補強ベルトに重ね、該補強ベルトを貼り付けた位置の周辺部に及ぶように貼り付けることを特徴とする請求項１，請求項２又は請求項３に記載のコンクリート構造物の補強方法。
【請求項５】
壁状又は版状となったコンクリートの第１の構造部分と壁状又は版状となったコンクリートの第２の構造部分とが角度をもって連続する部分を補強するコンクリート構造物の補強構造であって、
連続する繊維を束ねて帯状とした補強ベルトが、２つの構造部分の表面が１８０度より小さい角度で隣接する内側で前記第１の構造部分の表面に貼り付けられ、
該補強ベルトが前記第１の構造部分の内側の表面に沿った方向で前記第２の構造部分を貫通する第１の孔に挿通され、
該補強ベルトが第２の構造部分の外側から第１の構造部分の外側に向けて隅角部を越えて巻き回されており、
前記第２の構造部分の内側の表面に沿った方向に前記第１の構造部分を貫通する第２の孔に前記補強ベルトが挿通されて前記第２の構造部分の内側の表面に貼り付けられていることを特徴とするコンクリート構造物の補強構造。
【発明の詳細な説明】
【技術分野】
【０００１】
本発明は、壁状又は版状となったコンクリートの構造部分が角度をもって連続する部分を、繊維を束ねて帯状とした補強ベルトを用いて補強する方法及び補強構造に関するものである。
【背景技術】
【０００２】
コンクリート構造物は、老朽化や構築時には想定されていなかった荷重に対応するために補強が必要となる場合がある。壁状又は版状となったコンクリートの構造部分が角度をもって連続する部分においても補強が必要となる場合があり、例えばコンクリート床版を有する橋梁における張り出し床版の先端部と壁高欄との接合部分がある。壁高欄上に遮音壁を新たに設ける必要が生じたときには、風荷重等によって鉄筋コンクリート構造の壁高欄に大きな曲げモーメントが生じ、補強が必要となる場合がある。また、これにともなって張り出し床版にも大きな曲げモーメントが作用し、先端付近を曲げモーメントに対して補強する必要が生じる場合がある。一方、橋梁を走行する車両の衝突荷重に対して、壁高欄により高い強度が求められる場合には、壁高欄の内側を曲げモーメントに対して補強する必要が生じる。
【０００３】
壁高欄及びコンクリート床版の補強構造に関しては、特許文献１に記載されるものがある。この構造では、張り出し床版の下側に鋼部材を設けるとともに壁高欄の内外両側に補強鋼板を配設するものである。
また、コンクリートの壁状又は版状の部材を補強するものとして特許文献２に記載されるものがある。この構造は、炭素繊維やアラミド繊維等の強化繊維を用いた補強シートを、補強しようとするコンクリート部材に貼り付けるものである。
【先行技術文献】
【特許文献】
【０００４】
【特許文献１】特開２００２−２２７１３４号公報
【特許文献２】特開２０００−４５５６５号公報
【発明の概要】
【発明が解決しようとする課題】
【０００５】
しかしながら、壁状又は版状となったコンクリートの構造部分が角度をもって連続する部分では、曲げモーメントに対する補強を行うことが難しい場合がある。つまり、これらの構造部分の内側の表面付近すなわち二つの構造部分の表面が１８０°以下の角度で隣接するときの表面付近に、曲げモーメントによる大きな引張応力度が生じると、表面に補強部材を貼り付けることによっては充分な補強とならない。
【０００６】
特許文献１に記載の補強構造では壁高欄の内側にも補強鋼板を取り付けてはいるが、壁高欄の下端部に補強鋼板の下縁があり、壁高欄の下端に作用する曲げモーメントに対して有効な補強とはならない。また、特許文献２に記載の補強構造では、コンクリートの壁面に補強シートを貼り付けるとともに、その周囲の梁との接合部分では、梁に形成した孔に差し込んで接着剤を充填したアンカーによって定着するものとしている。このアンカーは強化繊維を束ねたものが用いられており、引き抜きに対して充分な抵抗力を有するように接着剤を孔内に慎重に注入する必要があり、作業の効率は良好ではない。
【０００７】
また、このような問題点は、上記のような壁高欄とコンクリート床版との接合部に限らず、コンクリートの壁状又は版状の構造部分が角度をもって連続する部分では同様に生じるものである。例えば、鉄筋コンクリートからなる水槽の壁が平面形状でほぼ直角に形成された部分や、水路の壁体の曲折部分等、内圧が作用する壁が角度をもって連続する部分がある。
【０００８】
本発明は、上記のような事情に鑑みてなされたものであり、壁状又は版状となったコンクリートの構造部分が角度をもって連続する部分を、繊維を束ねて帯状とした補強ベルトを用いて有効に補強する方法及び補強構造を提供することを目的とする。
【課題を解決するための手段】
【０００９】
上記課題を解決するために、請求項１に係る発明は、  壁状又は版状となったコンクリートの第１の構造部分と、壁状又は版状となったコンクリートの第２の構造部分とが、角度をもって連続する部分を補強するコンクリート構造物の補強方法であって、  １８０度より小さい角度で前記第１の構造部分の表面と前記第２の構造部分の表面とが隣接する内側表面の境界線に沿って所定間隔の複数の位置に、前記第１の構造部分の表面に連続して前記第２の構造部分を貫通する第１の孔群を形成する工程と、  前記第２の構造部分の表面に連続して前記第１の構造部分を貫通する第２の孔群を、前記境界線に沿って所定の間隔で複数の位置に形成する工程と、  連続する繊維を束ねて帯状とした補強ベルトを、前記第１の構造部分の内側の表面に沿って前記第１の孔群に含まれる孔に挿通し、前記第２の構造部分の外側から前記第１の構造部分の外側に向けての隅角部に巻き回し、前記第１の構造部分の外側から前記第２の孔群に含まれる孔に挿通する工程と、  前記補強ベルトの両端部を、前記第１の構造部分の内側の表面及び前記第２の構造部分の内側の表面に貼り付ける工程と、を含むコンクリート構造物の補強方法を提供する。
【００１０】
この補強方法では、第１の構造部分と第２の構造部分とのそれぞれについて、一連の補強ベルトが双方の構造部分の内側の表面が連続する境界線を横切ってそれぞれの表面に沿った方向に貼り付けられる。したがって、第１の構造部分及び第２の構造部分の内側の表面付近に生じる引張応力度に対して有効に補強することができる。また、補強ベルトは第１の構造部分及び第２の構造部分の内側の表面で充分な長さの定着長を確保して貼り付けることができ、切削した穴内で定着する構造に比べて効率よく確実に補強ベルトを定着することができる。
【００１１】
請求項２に係る発明は、  請求項１に記載のコンクリート構造物の補強方法において、  前記補強ベルトを前記第１の孔群に含まれる一の孔に挿通するときに、複数枚の補強ベルトを重ねて挿通し、  該複数枚の補強ベルトは、該一の孔を貫通して第２の構造部分の外側の面で、前記境界線の方向に二つに振り分け、該一の孔の両側で隣接する第２の孔群に含まれる２つの孔にそれぞれ挿通するものとする。
【００１２】
この補強方法では、補強ベルトに作用する引張力を、該補強ベルトを隅角部に巻き回す方向の両側に振り分けて作用させることができ、補強効果が偏るのを抑制することができる。
【００１３】
請求項３に係る発明は、請求項１又は請求項２に記載のコンクリート構造物の補強方法において、  前記補強ベルトを前記第１の構造部分の内側の表面及び第２の構造部分の内側の表面に貼り付けるときには、該補強ベルトに張力を導入した状態とするものである。
【００１４】
この補強方法では、貼り付けるときに導入されている引張力によってコンクリートにプレストレスが導入され、ひび割れを防止すること又はひび割れの拡大を有効に防止することができる。
【００１５】
請求項４に係る発明は、請求項１から請求項３までのいずれかに記載のコンクリート構造物の補強方法において、  前記補強ベルトを前記第１の構造部分の内側の表面及び第２の構造部分の表面に貼り付けた後、少なくとも２方向の繊維が配列された補強シートを前記補強ベルトに重ね、該補強ベルトを貼り付けた位置の周辺部に及ぶように貼り付けるものとする。
【００１６】
この補強方法では、補強ベルトから補強シートを介して壁状又は版状の第１の構造部分又は第２の構造部分に分散して引張力を伝達することができ、補強ベルトを貼り付けた部分の応力の集中を低減することができる。
【００１７】
請求項５に係る発明は、  壁状又は版状となったコンクリートの第１の構造部分と壁状又は版状となったコンクリートの第２の構造部分とが角度をもって連続する部分を補強するコンクリート構造物の補強構造であって、  連続する繊維を束ねて帯状とした補強ベルトが、２つの構造部分の表面が１８０度より小さい角度で隣接する内側で前記第１の構造部分の表面に貼り付けられ、  該補強ベルトが前記第１の構造部分の内側の表面に沿った方向で前記第２の構造部分を貫通する第１の孔に挿通され、  該補強ベルトが第２の構造部分の外側から第１の構造部分の外側に向けて隅角部を越えて巻き回されており、  前記第２の構造部分の内側の表面に沿った方向に前記第１の構造部分を貫通する第２の孔に前記補強ベルトが挿通されて前記第２の構造部分の内側の表面に貼り付けられているコンクリート構造物の補強構造を提供する。
【００１８】
この補強方法では、第１の構造部分と第２の構造部分とのそれぞれについて、これらの構造部分が連続する部分で内側の表面に補強ベルトが貼り付けられており、第１の構造部分及び第２の構造部分の内側に引張応力度が生じる方向の曲げモーメントに対して有効に補強される。また、一連の補強ベルトが第１の構造部分及び第２の構造部分の内側の表面で充分な長さの定着長を確保して貼り付けられており、補強ベルトがコンクリートの構造部分に確実に定着される。
【発明の効果】
【００１９】
以上説明したように、本発明に係るコンクリート構造物の補強方法及び補強構造では、壁状又は版状となったコンクリートの構造部分が角度をもって連続する部分を、繊維を束ねて帯状とした補強ベルトを用いて有効に補強することができる。そして、補強ベルトを確実にコンクリート構造物に定着することができる。
【図面の簡単な説明】
【００２０】
【図１】本発明に係るコンクリート構造物の補強方法によって補強することができる橋梁及びその側縁部に設けられた壁高欄の断面図である。
【図２】本発明の一実施形態であって、図１に示す橋梁のコンクリート床版と壁高欄との接合部分の補強構造を示す概略斜視図である。
【図３】図２に示す補強構造における補強ベルトの配置を示す概略正面図、概略断面図及び概略背面図である。
【図４】図２に示す補強構造における補強ベルトの配置を示す概略平面図、概略断面図及び概略底面図である。
【図５】図２に示す補強構造における補強ベルトの基本的な配置を示す概略斜視図である。
【図６】本発明の実施の形態であって、補強ベルトに重ねて補強シートを貼着した例を示す概略正面図である。
【図７】本発明の実施の形態であって、壁高欄と床版との接合部の内側に地覆があるときの補強構造を示す概略断面図である。
【発明を実施するための形態】
【００２１】
以下、本発明の実施の形態を図に基づいて説明する。
図１は、本発明のコンクリート構造の補強方法及び補強構造を適用することができるコンクリート橋梁の断面図である。
この橋梁は、複数のコンクリートの桁１とコンクリートの床版２とを備えるものであり、コンクリートの床版２が両側部で張り出した先端に、この橋梁の軸線方向に沿って壁高欄３が設けられている。壁高欄３は鉄筋コンクリート構造となっており、床版２の先端部上に支持されるとともに、床版２から連続する鉄筋が配置され、下端部の曲げモーメントに抵抗するものとなっている。
このような壁高欄３に遮音壁等が取り付けられると、大きな風荷重等が作用する。また、橋梁上を走行する車両が衝突したときに、車両が橋梁から転落しないように防護する必要がある。以下に説明する本発明の実施の形態は、上記壁高欄３の内側及び側方へ張り出した床版２の上側に引張応力度が生じる曲げモーメントに対して補強を行うものである。
【００２２】
図２は、本発明の一実施形態であるコンクリート構造物の補強構造を示す概略斜視図であり、図３はこの補強構造の正面図、断面図及び背面図である。また、図４は平面図、断面図及び底面図である。
この補強構造は、壁高欄３の内側及びこの壁高欄３と連続する床版２の上側に、繊維を束ねて帯状とした一連の補強ベルト１０を貼り付けて、壁高欄３の内側及び床版２の上側に生じる引張力を負荷させるものである。
【００２３】
上記補強ベルト１０は、多数のアラミド繊維を該補強ベルトの軸線方向に配置し、横糸を用いて束ねたものである。幅は５０ｍｍで厚さが０．５ｍｍから１．５ｍｍ程度のものを使用している。このような補強ベルトは単層でも用いることができるものであるが、本実施の形態ではこれらを複数枚重ねて使用している。これらの補強ベルトは、一層で５０ＫＮ〜１５０ＫＮ程度の引張力に耐え得るものである。
なお、補強ベルト１０は、上記アラミド繊維を用いるものの他、炭素繊維、ガラス繊維、その他の合成繊維等を用いるものでもよく、厚さ及び幅も補強対象の状況等に応じて適宜に設定することができる。
【００２４】
上記コンクリートの床版２は、壁高欄３の内側の側面３ａに沿った位置に上面から下面に貫通する複数の第１の孔群１１が形成されており、これらの第１の孔群１１は橋梁の軸線方向に沿って所定間隔で設けられている。それぞれの第１の孔１１（ａ），１１（ｂ），１１（ｃ）・・・は、補強ベルト１０を挿通することができる寸法となっており、壁高欄３の内側の側面３ａに貼り付けられた補強ベルト１０が、ほとんど曲折されることなく挿通される方向に形成されている。上記第１の孔群１１が形成される間隔は、補強に必要な補強ベルト１０の量に応じて決定されるものであるが、４０ｃｍ〜８０ｃｍ程度とすることができる。
【００２５】
一方、壁高欄３の下端部つまり壁高欄３の下面がコンクリートの床版２の上面と接合されている位置には、床版２の上面に沿った方向に第２の孔群１２が形成されており、これらの第２の孔群１２は、橋梁の軸線方向に沿って上記第１の孔群１１と同じ間隔で設けられている。そして、それぞれの第２の孔１２（ａ），１２（ｂ），１２（ｃ）・・・は、第１の孔群１１のそれぞれが設けられた位置のほぼ中間位置に設けられている。そして、第２の孔１２（ａ），１２（ｂ），１２（ｃ）・・・は、第１の孔１１（ａ），１１（ｂ），１１（ｃ）・・・と同様に補強ベルト１０を挿通することができる寸法で、床版２の上面に貼り付けられた補強ベルト１０が、ほとんど曲折されることなく挿通される方向に形成されている。
【００２６】
上記補強ベルト１０は、壁高欄３に貼り付けられた４枚を重ね合わせて一つの第１の孔１１（ａ）に挿通されている。４枚の補強ベルト１０は、第１の孔１１（ａ）の入り口から壁高欄３の側面に扇状に拡がるように貼り付けられ、これらの補強ベルト１０に作用する引張力が壁高欄３の広い範囲に分散して伝達されるようになっている。第１の孔１１（ａ）に挿通された補強ベルト１０は、床版２の下側でこの床版２が張り出している先端側に曲折され、床版２の下面から壁高欄３の外側面と連続する先端面２ａに隅角部２ｂを越えて巻き回されている。そして、壁高欄３と床版２の上面との接合部に設けられた第２の孔１２（ａ），１２（ｂ）に挿通され、貫通して床版２の上面に貼り付けられている。
【００２７】
図５は、上記のように配置された補強ベルト１０の内、第１の孔群１１の一つの孔１１（ａ）に挿通された補強ベルト１０のみを取り出して示す概略斜視図である。また、この図では重ね合わされた補強ベルト１０は２枚のみを示すものである。
この図に示すように、上記のように配置された補強ベルト１０は、第１の孔群１１の一つの孔１１（ａ）に複数枚を重ねて挿通され、床版２の下側で橋梁の軸線方向に２つに振り分けて床版２の先端の隅角部２ｂに巻き回される。そして、橋梁の軸線方向において、該補強ベルト１０を挿通した一の孔１１（ａ）の両側で隣接する第２の孔群１２の二つの孔１２（ａ），１２（ｂ）に挿通される。
【００２８】
このように第１の孔群１１のそれぞれの孔に挿通される複数の補強ベルト１０が配置されると、図２に示すように、第１の孔１１（ａ）と隣接する他の第１の孔１１（ｂ）に挿通された４枚の補強ベルト１０も同様に振り分けられ、この第１の孔１１（ｂ）の両側で隣接する二つの第２の孔１２（ｂ），１２（ｃ）に挿通される。したがって、第２の孔１２（ｂ）には４枚の補強ベルトが重ねて挿通されており、第２の孔群１２のそれぞれには両側にある第１の孔群１１に挿通されて振り分けられた２枚ずつの補強ベルト１０が重ね合わされている。そして、床版２の表面では、壁高欄３の内面と同様に扇状に拡げて貼り付けられている。
【００２９】
上記補強ベルト１０は、壁高欄３及びコンクリートの床版２に対して、エポキシ樹脂等の合成樹脂を主成分とする接着剤を用いて接着することができる。接着剤によって強固に接着されることにより、補強ベルト１０に作用する引張力がコンクリートの壁高欄３及び床版２に伝達される。また、補強ベルト１０が挿通された第１の孔群１１及び第２の孔群１２にも接着剤が充填されており、孔内で補強ベルト１０とコンクリートとが一体に接着されるとともに、孔内に雨水等が進入するのを防ぐものとなっている。
なお、第１の孔群１１及び第２の孔群１２には、接着剤に代えてモルタル、樹脂モルタル等、他の充填可能な材料を充填することもできる。
【００３０】
次に、本発明の一実施形態であるコンクリート構造物の補強方法であって、上記補強構造を形成する工程について説明する。
壁高欄３及びコンクリートの床版２の張り出し部を補強する必要がある範囲について床版２上の舗装等を取り除き、床版２の表面を露出させる。そして、壁高欄３の内側の側面に沿った位置に床版２を上下に貫通する第１の孔群１１を穿設する。これらの孔の形成は、床版２に形成されている鉄筋、ＰＣ鋼材を避けて、ドリルビットに打撃を与えることができるハンマードリル、円柱状の切削部材が回転するロータリホイール等を用いて行うことができる。
また、壁高欄３の下端部つまり床版２の上面と壁高欄３の下面とが接合さている位置には、床版２の上面に沿った方向に第２の孔群１２を穿設する。それぞれの第２の孔１２（ａ），１２（ｂ），１２（ｃ）・・・は、第１の孔群１１のそれぞれ１１（ａ），１１（ｂ），１１（ｃ）・・・が設けられた位置のほぼ中間位置に設けるものとし、これらの孔も第１の孔群１１と同様に穿設することができる。
これらの孔は、補強ベルトが扁平な形状を維持したまま挿通することができる形状及び寸法とするのが望ましい。
【００３１】
第１の孔群１１及び第２の孔群１２が形成された後、壁高欄３及び床版２の補強ベルト１０を貼り付ける位置に、下地材として含浸性のある合成樹脂等を塗布するのが望ましい。これにより、補強ベルト１０の壁高欄３及び床版２に対する接着性を向上させることができる。
【００３２】
その後、補強ベルト１０を配置する。補強ベルト１０は複数枚を重ね合わせて第１の孔群１１に挿通し、床版２の下側から床版２の先端の隅角部２ｂ及び床版の先端面２ａに巻き回し、第２の孔群１２に挿通する。第１の孔１１（ａ）に挿通した複数の補強ベルト１０は、床版２の下側で橋梁の軸線方向に振り分け、第１の孔１１（ａ）の両側にある二つの第２の孔１２（ａ），１２（ｂ）に挿通する。また、第１の孔１１（ａ）と所定間隔で設けられた他の第１の孔１１（ｂ）にも同様に補強ベルト１０を挿通し、隅角部２ｂに巻き回して、この第１の孔１１（ｂ）と隣り合う二つの第２の孔１２（ｂ），１２（ｃ）に振り分けて挿通する。このとき第２の孔１２（ｂ）には既に第１の孔１１（ａ）に挿通して先に振り分けられた補強ベルトが挿通されており，これらに重ねて挿通する。このようにして、補強ベルト１０を配置する工程を第１の孔毎に行い、補強が必要な範囲について補強ベルトを配置する。
なお、上記補強ベルトの配置は、第２の孔群１２に複数の補強ベルト１０を重ねて挿通し、床版２の先端面２ａで橋梁の軸線方向に振り分けて床版２の下側に巻き回し、両側に隣接する第１の孔群１１に挿通するものであってもよい。
【００３３】
第１の孔群１１及び第２の孔群１２に挿通された補強ベルト１０は、第１の孔１１（ａ），１１（ｂ），１１（ｃ）・・・の上側の開口から先端まで及び第２の孔１２（ａ），１２（ｂ），１２（ｃ）・・・の内側の開口から先端までを壁高欄３の内側の面又は床版２の上面に沿って扇状に配置する。そして、補強ベルト１０を接着剤で壁高欄３及び床版２に固定する。このとき、補強ベルト１０に引張力を導入しておくのが望ましい。引張力の導入は、例えば壁高欄３及び床版２上に鋼枠（図示しない）を固定し、この鋼枠にジャッキ等の反力を作用させて補強ベルトに引張力を導入することができる。
【００３４】
補強ベルト１０の接着は、液状で時間の経過によって硬化するエポキシ樹脂等の接着剤を用い、補強ベルト１０の繊維間に含浸させて壁高欄３及び床版２に接着する。接着剤が硬化した後にジャッキ等による牽引力を解放すると、補強ベルト１０の引張力が壁高欄３又は床版２のコンクリートに伝達され、コンクリートに圧縮力が導入される。
【００３５】
補強ベルト１０が接着された壁高欄３又は床版２の上には、図６に示すように接着されている補強ベルト１０を覆うように補強シート１３を貼り付けることができる。この補強シート１３は、ほぼ９０°の角度で互いに交叉する２方向に補強繊維を配置してシート状としたものである。そして、補強繊維の方向が、壁高欄３と床版２とが接合される境界線に対して４５°に近い角度で傾斜した方向となるように貼り付けるのが望ましい。これにより、補強ベルト１０の引張力を広い範囲に分散して壁高欄３又は床版２のコンクリートに伝達される。
上記補強ベルト１０の貼着による補強が完了すると舗装等を復元し、橋梁を供用することができる。
【００３６】
なお、壁高欄の下端部における内側で床版上に地覆が設けられ、容易には除去することができないときには、図７に示すように、壁高欄２３の内側の側面に沿って地覆２４及び床版２２に連続した第１の孔群３１を形成し、さらに床版の上面２２ａに沿って地覆２４及び壁高欄２３の床版２２との接合部に連続する第２の孔群３２を形成することができる。このように第１の孔群と第２の孔群とが形成されたときにも同様に補強ベルト１０を配置して壁高欄２３と張り出した床版２２の先端部を補強することができる。
【００３７】
以上に説明した実施の形態は、橋梁の側部に設けられた壁高欄と側方に張り出した床版との接合部を補強するものであるが、本発明は上記の実施形態に限定されるものではなく、壁状又は版状のコンクリート部材が角度を設けて接合された部分の補強に適用することができる。さらに、補強ベルトの寸法、重ね合わせる数、貼り付ける範囲等は補強の対象、補強の目的等に応じて適宜に設定して実施することができる。また、補強ベルトを配置する形態も、一つの第１の孔から補強ベルトを振り分けて二つの第２の孔に挿通するものに限定されるものではなく、一つの第１の孔から一つの第２の孔に挿通するように巻き回すこともできる。補強ベルトを壁状又は版状のコンクリート部材に貼り付ける形態は、図２に示すように扇状に拡げて貼り付けるものに限らず、複数枚のベルトを重ねて貼り付けるものであってもよい。また、複数の補強ベルトを重ね合わせて使用するものに限らず、単層で用いることもできる。
【符号の説明】
【００３８】
１：コンクリートの桁，  ２：床版，  ２ａ：床版の先端面，  ２ｂ：床版の先端の隅角部，  ３：壁高欄，
１０：補強ベルト，  １１：第１の孔群，  １２：第２の孔群，  １３：補強シート，
２２：床版，  ２３：壁高欄，  ２４：地覆，
３１：第１の孔群，  ３２：第２の孔群
【図１】
0006325380.tif 000002
【図２】
0006325380.tif 000003
【図３】
0006325380.tif 000004
【図４】
0006325380.tif 000005
【図５】
0006325380.tif 000006
【図６】
0006325380.tif 000007
【図７】
0006325380.tif 000008